(57)【特許請求の範囲】
【請求項１】
映像信号が圧縮されて記録された記録媒体上の、それぞれ再生倍率に応じた飛び越し区間を隔てた、それぞれの再生単位区間から順次、映像信号を定常速度で再生し、その得られた再生映像信号のデータを復号用バッファに出力して、映像信号を定常方向に間欠的に定常速度で再生する方法であって、
上記記録媒体に記録されている映像信号の切れ目を検出し、その検出された切れ目の位置を当該の再生単位区間の後側の区切れ目とし、当該の再生単位区間の前側の区切れ目から当該の再生単位区間の時間長のＮ倍（Ｎは再生倍率）の時間長を隔てた位置を次の再生単位区間の前側の区切れ目とするように、それぞれの再生単位区間を、その時間長が変化し得る状態で決定することを特徴とする映像信号再生方法。
【請求項２】
請求項１の映像信号再生方法において、
上記記録媒体に記録されている映像信号の切れ目として、映像シーンの変化位置を検出することを特徴とする映像信号再生方法。
【請求項３】
音声信号が圧縮されて記録された記録媒体上の、それぞれ再生倍率に応じた飛び越し区間を隔てた、それぞれの再生単位区間から順次、音声信号を定常速度で再生し、その得られた再生音声信号のデータを復号用バッファに出力して、音声信号を定常方向に間欠的に定常速度で再生する方法であって、
上記記録媒体に記録されている音声信号の切れ目を検出し、その検出された切れ目の位置を当該の再生単位区間の後側の区切れ目とし、当該の再生単位区間の前側の区切れ目から当該の再生単位区間の時間長のＮ倍（Ｎは再生倍率）の時間長を隔てた位置を次の再生単位区間の前側の区切れ目とするように、それぞれの再生単位区間を、その時間長が変化し得る状態で決定することを特徴とする音声信号再生方法。
【請求項４】
請求項３の音声信号再生方法において、
上記記録媒体に記録されている音声信号の切れ目として、音声信号の無音位置または相対的にレベルが低い位置を検出することを特徴とする音声信号再生方法。
【請求項５】
記録媒体上に圧縮されて記録された音声信号を、上記記録媒体から定常方向と逆方向に定常速度で再生し、その得られた再生音声信号のデータを、処理単位区間ごとに、処理単位区間内で順方向に並び替えて、復号用バッファに出力して、音声信号を再生する方法であって、
上記記録媒体に記録されている音声信号の切れ目の位置として、それぞれ直前の切れ目の位置から所定時間を経過した直後の所定時間長の対象区間内における無音位置または音声信号レベルが最小となる位置を検出し、その検出された切れ目の位置を、それぞれ上記処理単位区間の区切れ目として、それぞれの処理単位区間を、その時間長が変化し得る状態で決定することを特徴とする音声信号再生方法。
【請求項６】
映像信号が圧縮されて記録された記録媒体上の、それぞれ再生倍率に応じた飛び越し区間を隔てた、それぞれの再生単位区間から順次、映像信号を定常速度で再生する間欠定常再生手段と、
その得られた再生映像信号のデータを復号用バッファに出力する信号処理手段と、
上記記録媒体に記録されている映像信号の切れ目を検出し、その検出された切れ目の位置を当該の再生単位区間の後側の区切れ目とし、当該の再生単位区間の前側の区切れ目から当該の再生単位区間の時間長のＮ倍（Ｎは再生倍率）の時間長を隔てた位置を次の再生単位区間の前側の区切れ目とするように、それぞれの再生単位区間を、その時間長が変化し得る状態で決定する検出決定手段と、
を備えることを特徴とする映像信号再生装置。
【請求項７】
請求項６の映像信号再生装置において、
上記検出決定手段は、上記記録媒体に記録されている映像信号の切れ目として、映像シーンの変化位置を検出することを特徴とする映像信号再生装置。
【請求項８】
音声信号が圧縮されて記録された記録媒体上の、それぞれ再生倍率に応じた飛び越し区間を隔てた、それぞれの再生単位区間から順次、音声信号を定常速度で再生する間欠定常再生手段と、
その得られた再生音声信号のデータを復号用バッファに出力する信号処理手段と、
上記記録媒体に記録されている音声信号の切れ目を検出し、その検出された切れ目の位置を当該の再生単位区間の後側の区切れ目とし、当該の再生単位区間の前側の区切れ目から当該の再生単位区間の時間長のＮ倍（Ｎは再生倍率）の時間長を隔てた位置を次の再生単位区間の前側の区切れ目とするように、それぞれの再生単位区間を、その時間長が変化し得る状態で決定する検出決定手段と、
を備えることを特徴とする音声信号再生装置。
【請求項９】
請求項８の音声信号再生装置において、
上記検出決定手段は、上記記録媒体に記録されている音声信号の切れ目として、音声信号の無音位置または相対的にレベルが低い位置を検出することを特徴とする音声信号再生装置。
【請求項１０】
記録媒体上に圧縮されて記録された音声信号を、上記記録媒体から定常方向と逆方向に定常速度で再生する逆方向再生手段と、
その得られた再生音声信号のデータを、処理単位区間ごとに、処理単位区間内で順方向に並び替えて、復号用バッファに出力する信号処理手段と、
上記記録媒体に記録されている音声信号の切れ目の位置として、それぞれ直前の切れ目の位置から所定時間を経過した直後の所定時間長の対象区間内における無音位置または音声信号レベルが最小となる位置を検出し、その検出された切れ目の位置を、それぞれ上記処理単位区間の区切れ目として、それぞれの処理単位区間を、その時間長が変化し得る状態で決定する検出決定手段と、
を備えることを特徴とする音声信号再生装置。
【発明の詳細な説明】
【０００１】
【発明の属する技術分野】
この発明は、映像信号および音声信号を記録再生する機器、映像信号を記録再生する機器、音声信号を記録再生する機器などにおいて、記録媒体上に圧縮されて記録された映像信号または音声信号を定常速度より速い速度で再生し、または記録媒体上に圧縮されて記録された音声信号を定常方向と逆方向に再生する方法および装置に関する。
【０００２】
【従来の技術】
従来、圧縮されて記録媒体上に記録された音声信号を逆方向再生する場合には、記録媒体から再生された音声信号のデータを、記録時に定められたパケット単位で復号用のコードバッファに出力し、伸長復号する。
【０００３】
また、圧縮されて記録媒体上に記録された音声信号を高速再生する場合には、記録媒体から再生された、再生倍率に応じた一部のパケット、例えば２倍速再生の場合には１つおきのパケットのデータを、復号用のコードバッファに出力し、伸長復号する。
【０００４】
圧縮されて記録媒体上に記録された映像信号を高速再生する場合にも、同様である。
【０００５】
【発明が解決しようとする課題】
しかしながら、上述した従来の逆方向再生では、再生出力の音声信号はパケットの順序が記録信号とは全く逆になるので、記録された音声内容をほとんど理解することができない。また、従来の高速再生では、再生出力の音声信号は記録信号の飛び飛びの位置のパケットから構成されるので、記録された音声内容を理解することが困難となる。
【０００６】
例えば、記録信号の１パケットが１音素に相当するとして、図１３（Ａ）に「記録信号」として示すように、パケット０，１，２‥‥１７，１８，１９からなる音声信号が記録されている場合、従来の逆方向再生では、図１３（Ａ）に「逆方向再生」として示すように、再生出力の音声信号はパケット１９，１８，１７‥‥２，１，０の順序となるので、記録信号が日本語の「こんにちはわたくしがスミスですよろしくね」という音声内容であるとき、再生される音声は「ねくしろよすでスミスがしくたわはちにんこ」となって、内容をほとんど理解することができない。
【０００７】
また、従来の高速再生、例えば２倍速再生では、図１３（Ａ）に「高速再生（２倍速再生）」として示すように、再生出力の音声信号はパケット０，２，４‥‥１４，１６，１８の順序となるので、記録信号が同じ音声内容であるとき、再生される音声は「こにはたしススすろく」となって、内容を理解することが困難となる。高速再生の場合には、再生倍率が大きいほど、記録された音声内容を理解することが困難となる。
【０００８】
映像信号については、例えば、フレーム０，１，２‥‥１７，１８，１９からなる映像信号が記録されている場合、高速再生、例えば２倍速再生では、再生出力の映像信号はフレーム０，２，４‥‥１４，１６，１８の順序となって、音声の場合のように内容を理解できないということはないにしても、記録された映像内容を理解しにくい。
【０００９】
そこで、この発明は、記録媒体上に圧縮されて記録された映像信号または音声信号を高速再生する場合、または記録媒体上に圧縮されて記録された音声信号を逆方向再生する場合に、記録された映像内容が理解しやすくなり、記録された音声内容を理解することができるだけでなく、記録された映像内容または音声内容がより理解しやすくなるようにしたものである。
【００１０】
【課題を解決するための手段】
この発明の高速再生に係る映像信号再生方法は、
映像信号が圧縮されて記録された記録媒体上の、それぞれ再生倍率に応じた飛び越し区間を隔てた、それぞれの再生単位区間から順次、映像信号を定常速度で再生し、その得られた再生映像信号のデータを復号用バッファに出力して、映像信号を定常方向に間欠的に定常速度で再生する方法であって、
上記記録媒体に記録されている映像信号の切れ目を検出し、その検出された切れ目の位置を当該の再生単位区間の後側の区切れ目とし、当該の再生単位区間の前側の区切れ目から当該の再生単位区間の時間長のＮ倍（Ｎは再生倍率）の時間長を隔てた位置を次の再生単位区間の前側の区切れ目とするように、それぞれの再生単位区間を、その時間長が変化し得る状態で決定することを特徴とする。
この発明の高速再生に係る音声信号再生方法は、
音声信号が圧縮されて記録された記録媒体上の、それぞれ再生倍率に応じた飛び越し区間を隔てた、それぞれの再生単位区間から順次、音声信号を定常速度で再生し、その得られた再生音声信号のデータを復号用バッファに出力して、音声信号を定常方向に間欠的に定常速度で再生する方法であって、
上記記録媒体に記録されている音声信号の切れ目を検出し、その検出された切れ目の位置を当該の再生単位区間の後側の区切れ目とし、当該の再生単位区間の前側の区切れ目から当該の再生単位区間の時間長のＮ倍（Ｎは再生倍率）の時間長を隔てた位置を次の再生単位区間の前側の区切れ目とするように、それぞれの再生単位区間を、その時間長が変化し得る状態で決定することを特徴とする。
【００１１】
この発明の逆方向再生に係る音声信号再生方法は、
記録媒体上に圧縮されて記録された音声信号を、上記記録媒体から定常方向と逆方向に定常速度で再生し、その得られた再生音声信号のデータを、処理単位区間ごとに、処理単位区間内で順方向に並び替えて、復号用バッファに出力して、音声信号を再生する方法であって、
上記記録媒体に記録されている音声信号の切れ目の位置として、それぞれ直前の切れ目の位置から所定時間を経過した直後の所定時間長の対象区間内における無音位置または音声信号レベルが最小となる位置を検出し、その検出された切れ目の位置を、それぞれ上記処理単位区間の区切れ目として、それぞれの処理単位区間を、その時間長が変化し得る状態で決定することを特徴とする。
【００１２】
なお、この発明で「音声」とは、話声に限らず、楽音など、およそ人が聴感上認識し得る全ての音または声を含む。
【００１３】
上記の、この発明の高速再生に係る映像信号再生方法または音声信号再生方法では、再生出力の映像信号または音声信号は、それぞれの飛び越し区間の部分は欠落するものの、それぞれの再生単位区間の部分は定常速度で再生されるだけでなく、映像信号または音声信号の検出された切れ目の位置が、それぞれの再生単位区間の後側の区切れ目とされるので、記録された映像内容が理解しやすくなり、記録された音声内容を理解することができるだけでなく、記録された映像内容または音声内容がより理解しやすくなる。
【００１４】
音声信号の場合、例えば、記録信号の１パケットが１音素に相当するとして、図１３（Ｂ）に「記録信号」として示すように、パケット０，１，２‥‥１７，１８，１９からなる音声信号が記録されている場合、２倍速再生では、図１３（Ｂ）に「高速再生（２倍速再生）」として示すように、パケット０〜４およびパケット１０〜１４のパケット群のデータのみを、パケットの順序は順方向のまま、復号用バッファに出力することによって、記録信号が上記と同じ音声内容であるとき、再生される音声は「こんにちはスミスです」となって、内容を理解できるようになる。
【００１５】
上記の、この発明の逆方向再生に係る音声信号再生方法では、再生出力の音声信号は、処理単位区間ごとの順序は記録信号と逆になるものの、それぞれの処理単位区間内では時間の経過に対する音声内容の変化が順方向となるだけでなく、音声信号の切れ目の位置として検出された、直前の切れ目の位置から所定時間を経過した直後の所定時間長の対象区間内における無音位置または音声信号レベルが最小となる位置が、それぞれの処理単位区間の区切れ目とされるので、記録された音声内容を理解することができるだけでなく、記録された音声内容がより理解しやすくなる。
【００１６】
例えば、記録信号の１パケットが１音素に相当するとして、図１３（Ｂ）に「記録信号」として示すように、パケット０，１，２‥‥１７，１８，１９からなる音声信号が記録されている場合、図１３（Ｂ）に「逆方向再生」として示すように、パケット１９〜１５、パケット１４〜１０、パケット９〜５およびパケット４〜０のパケット群のデータを、パケット群ごとに、パケット群内で順方向に並び替えて、全体としてパケット１５，１６，１７，１８，１９，１０，１１，１２，１３，１４，５，６，７，８，９，０，１，２，３，４の順序にすることによって、記録信号が日本語の「こんにちはわたくしがスミスですよろしくね」という音声内容であるとき、再生される音声は「よろしくねスミスですわたくしがこんにちは」となって、内容を理解できるようになる。
【００１８】
【発明の実施の形態】
［１．システム全体の一実施形態…図１］
図１は、この発明の信号再生装置の一実施形態を示し、圧縮され、多重化されて記録媒体１上に記録された映像信号および音声信号を、記録媒体１から逆方向再生または高速再生することができる場合である。
【００１９】
システムとしては、記録装置を兼ねてもよく、実際上も記録装置を兼ねることが望ましいが、後述する第１の実施例を除いては、記録方法および記録装置は、公知のものと変わらないので、図１では省略し、記録媒体１には、所定のアルゴリズムによって圧縮され、多重化された映像信号および音声信号が記録されているものとする。
【００２０】
この実施形態では、記録媒体１は、ハードディスク、光磁気ディスク、光ディスクなどのディスク状の記録媒体であり、駆動モータ３によって回転駆動される。再生ヘッド２は、記録媒体１から、これに記録されている信号を読み取る磁気ヘッドや光学ピックアップなどであり、駆動モータ４を含む移動機構によって記録媒体１の径方向に移動させられる。駆動モータ３および４は、サーボ回路５によって駆動制御され、サーボ回路５は、装置全体を制御するシステムコントローラ６によって制御される。
【００２１】
再生ヘッド２の出力は、デマルチプレクサ７によって、映像信号と音声信号に分離される。デマルチプレクサ７で分離された映像信号は、映像処理部８で後述のように処理され、アナログ映像信号に変換されて、ＣＲＴディスプレイや液晶ディスプレイなどの表示装置１０に供給される。デマルチプレクサ７で分離された音声信号は、音声処理部９で後述のように処理され、アナログ音声信号に変換されて、スピーカなどの音声出力装置１１に供給される。
【００２２】
システムコントローラ６には、操作部１２が接続される。操作部１２は、システムの利用者が逆方向再生や高速再生を指示するなどの各種操作を行うもので、これにはシステムの動作状態や操作状況を表示する液晶表示部などの表示部が設けられる。
【００２３】
音声信号の圧縮形式としては、ＭＰＥＧ１，ＭＰＥＧ２，ＡＣ３，ＬＰＣＭなどのアルゴリズムが考えられるが、以下の各例では、音声信号は２５６Ｋｂｐｓ固定長のＭＰＥＧ１オーディオ・レイヤ２によって圧縮されているものとする。
【００２４】
［２．信号再生方法の参考例…図２〜図７］
信号再生方法の実施例を示す前に、参考例として、逆方向再生についての処理単位区間および高速再生についての再生単位区間を固定長とする場合を示す。具体的に、音声信号の逆方向再生についての処理単位区間および高速再生についての再生単位区間を、４８パケットの固定長とする。１パケットは、２０４８バイトであり、４８パケットは、ＭＰＥＧ１オーディオ・レイヤ２の２５６Ｋｂｐｓでは３秒分の符号化データ量となる。
【００２５】
参考例の場合の音声処理部９は、図２に示すように、データ並び替え用の内部メモリ２２を有する信号処理部２１、コードバッファ２４と復号器２５からなる復号化部２３、および音声増幅器２６によって構成する。
【００２６】
（２−１．参考例の場合の音声信号の逆方向再生…図３、図４）
参考例の場合の音声信号の逆方向再生の場合、信号処理部２１は、図３に示す逆方向再生処理ルーチン３０によって、信号処理部２１に入力される元の再生音声信号Ｓｉのデータを、４８パケット分の処理単位区間ごとに、処理単位区間内で順方向に並び替えて、コードバッファ２４に出力する。
【００２７】
すなわち、信号処理部２１は、まず、ステップ３１において、逆方向再生モードであるか否かを判断し、逆方向再生モードであるときには、ステップ３２に進んで、元の再生音声信号Ｓｉの４８パケット分のデータを内部メモリ２２に書き込む。
【００２８】
圧縮された音声信号としてパケット０〜１００のデータが記録されているとすると、逆方向再生の場合、信号処理部２１には、元の再生音声信号Ｓｉとして、図４の上段に示すように、パケット１００，９９，９８‥‥２，１，０の順序でデータが入力される。信号処理部２１は、ステップ３２では、最初にパケット１００，９９‥‥５４，５３の４８パケット分のデータを内部メモリ２２に書き込み、次にパケット５２，５１‥‥６，５の４８パケット分のデータを内部メモリ２２に書き込む、というように、元の再生音声信号Ｓｉの４８パケット分のデータを順次、内部メモリ２２に書き込む。
【００２９】
次に、信号処理部２１は、ステップ３３に進んで、ステップ３２で内部メモリ２２に書き込んだ４８パケット分のデータを、内部メモリ２２から順方向に並び替えて読み出し、コードバッファ２４に出力する。
【００３０】
すなわち、図４の下段に示すように、最初に内部メモリ２２に書き込んだパケット１００，９９‥‥５４，５３の４８パケット分のデータをパケット５３，５４‥‥９９，１００の順序で内部メモリ２２から読み出し、次に内部メモリ２２に書き込んだパケット５２，５１‥‥６，５の４８パケット分のデータをパケット５，６‥‥５１，５２の順序で内部メモリ２２から読み出す、というように、４８パケット分のデータを順次、内部メモリ２２から読み出す。
【００３１】
次に、信号処理部２１は、ステップ３４に進んで、残りのデータがあるか否かを判断し、残りのデータがあれば、ステップ３１に戻って、上述した処理を繰り返し、残りのデータがなければ、あるいは、逆方向再生が停止されることによって、ステップ３１で逆方向再生モードではないと判断したときには、以上の逆方向再生処理を終了する。
【００３２】
内部メモリ２２からコードバッファ２４に出力された、図４の下段に示すような再生音声信号Ｓｏは、コードバッファ２４に書き込まれ、コードバッファ２４から読み出されて、復号器２５によって伸長され、アナログ音声信号に変換される。
【００３３】
したがって、再生出力の音声信号は、３秒分の信号部分ごとの順序は記録信号と逆になるものの、それぞれの３秒分の信号部分内では時間の経過に対する音声内容の変化が順方向となって、記録された音声内容を理解できるようになる。
【００３４】
（２−２．参考例の場合の音声信号の高速再生…図５〜図７）
参考例の場合の音声信号の高速再生の場合には、再生倍率をＮとすると（２倍速再生ではＮ＝２、１０倍速再生ではＮ＝１０）、システムコントローラ６および信号処理部２１は、図５に示す高速再生処理ルーチン４０によって、記録媒体１上の、それぞれ（Ｎ−１）×４８パケット分（（Ｎ−１）×３秒分）の飛び越し区間を隔てた、それぞれ４８パケット分（３秒分）の再生単位区間から順次、音声信号を定常速度で再生して、その再生音声信号Ｓｉのデータを、そのままコードバッファ２４に出力する。
【００３５】
すなわち、高速再生処理ルーチン４０では、まず、ステップ４１において、高速再生モードであるか否かを判断し、高速再生モードであるときには、ステップ４２に進んで、記録媒体１上の再生単位区間から再生された４８パケット分のデータを、内部メモリ２２に書き込むことなくコードバッファ２４に出力し、さらにステップ４３に進んで、残りのデータがあるか否かを判断し、残りのデータがあれば、ステップ４４に進んで、再生ヘッド２を記録媒体１に対して（Ｎ−１）×４８パケット先にジャンプさせ、記録媒体１上の次の再生単位区間から次の４８パケット分のデータを定常速度で再生して、ステップ４１に戻る。残りのデータがなければ、あるいは、高速再生が停止されることによって、ステップ４１で高速再生モードではないと判断したときには、以上の高速再生処理を終了する。
【００３６】
図６に示すように、記録媒体１の記録トラックＴｒ上に矢印Ｄｆの方向に、圧縮された音声信号のパケット０，１，２‥‥のデータが記録されているとすると、例えば１０倍速再生の場合には、最初に、パケット０のデータが記録されているアドレス位置がアクセスされて、パケット０〜４７の４８パケット分のデータが定常速度で再生され、次に、矢印Ｊ１で示すようにパケット４８０のデータが記録されているアドレス位置がアクセスされて、パケット４８０〜５２７の４８パケット分のデータが定常速度で再生され、次に、矢印Ｊ２で示すようにパケット９６０のデータが記録されているアドレス位置がアクセスされて、パケット９６０〜１００７の４８パケット分のデータが定常速度で再生される、というように、それぞれ４３２パケット分（２７秒分）の飛び越し区間を隔てた、それぞれ４８パケット分（３秒分）の再生単位区間から順次、音声信号が定常速度で再生される。
【００３７】
コードバッファ２４に出力された、図７に示すような再生音声信号Ｓｏは、コードバッファ２４に書き込まれ、コードバッファ２４から読み出されて、復号器２５によって伸長され、アナログ音声信号に変換される。
【００３８】
したがって、再生出力の音声信号は、それぞれ（Ｎ−１）×３秒分、例えば１０倍速再生の場合には、それぞれ２７秒分の飛び越し区間の部分は欠落するものの、それぞれ３秒分の再生単位区間の部分は定常再生されて、記録された音声内容を理解できるようになる。
【００３９】
（２−３．参考例の場合の映像信号の逆方向再生および高速再生）
上記のように音声信号を逆方向再生または高速再生する場合に、同時に映像信号も再生するときには、映像信号も逆方向再生または高速再生する。この場合、映像信号の逆方向再生については、映像処理部８に入力される元の再生映像信号のデータを、そのまま映像処理部８内のコードバッファに出力することもできるが、参考例としては、映像信号の逆方向再生および高速再生も、上記の音声信号の逆方向再生および高速再生と同様の方法によって行う。
【００４０】
そのため、映像処理部８は、音声処理部９と同様に、データ並び替え用の内部メモリを有する信号処理部、コードバッファと復号器からなる復号化部、および映像増幅器によって構成する。
【００４１】
そして、逆方向再生の場合には、音声信号の逆方向再生についての３秒分ごとの処理単位区間を、同時に映像信号の逆方向再生についての処理単位区間として、映像処理部８の信号処理部に入力される元の再生映像信号のデータを、３秒分の処理単位区間ごとに、処理単位区間内で順方向に並び替えて、コードバッファに出力する。すなわち、映像信号のフレーム周波数を３０Ｈｚとすると、元の再生映像信号のデータを、９０フレーム分ごとに、９０フレーム内で順方向に並び替えて、コードバッファに出力する。
【００４２】
これによれば、再生出力の映像信号は、３秒分の信号部分ごとの順序は記録信号と逆になるものの、それぞれの３秒分の信号部分内では時間の経過に対する映像内容の変化が順方向となって、記録された映像内容が理解しやすくなる。
【００４３】
高速再生の場合には、音声信号の高速再生についての（Ｎ−１）×３秒分ごとの飛び越し区間および３秒分ごとの再生単位区間を、同時に映像信号の高速再生についての飛び越し区間および再生単位区間として、記録媒体１上の、それぞれ（Ｎ−１）×３秒分の飛び越し区間を隔てた、それぞれ３秒分の再生単位区間から順次、映像信号を定常速度で再生して、その再生映像信号のデータを、そのままコードバッファに出力する。
【００４４】
これによれば、再生出力の映像信号は、それぞれ（Ｎ−１）×３秒分、例えば１０倍速再生の場合には、それぞれ２７秒分の飛び越し区間の部分は欠落するものの、それぞれ３秒分の再生単位区間の部分は定常再生されて、記録された映像内容が理解しやすくなる。
【００４５】
［３．信号再生方法の第１の実施例…図８〜図１１］
この発明の信号再生方法の第１の実施例では、音声信号の逆方向再生についての処理単位区間および高速再生についての再生単位区間の区切れ目を、記録媒体上に記録された区切り情報によって示された、音声信号の無音位置または相対的にレベルが低い位置とし、逆方向再生についての処理単位区間および高速再生についての再生単位区間を固定長ではなく、所定時間内で変化させる。
【００４６】
図８は、この例の装置構成を示し、図２に示した音声再生系に音声記録系を付加したものである。すなわち、この例では、記録時、記録処理部５０の圧縮符号化部５１で、端子１５に供給された音声信号Ｒｉを、ＭＰＥＧ１オーディオ・レイヤ２のフォーマットによって圧縮するとともに、切れ目検出フラグ生成部５２で、後述のように音声信号Ｒｉの無音位置または相対的にレベルが低い位置を音声信号Ｒｉの切れ目として検出して、その位置でフラグを生成し、重畳回路５３で、圧縮符号化部５１からの圧縮された音声信号に切れ目検出フラグ生成部５２からのフラグを重畳し、その重畳された音声信号Ｒｏを、この例では記録ヘッドと再生ヘッドを兼ねるヘッド２に供給して、記録媒体１上に記録する。切れ目フラグは、ＴＯＣ（Ｔａｂｌｅ  ｏｆ  Ｃｏｎｔｅｎｔｓ）情報の一部などとして、圧縮された音声信号とは別の領域に重畳し、記録する。
【００４７】
（３−１．第１の実施例における切れ目検出…図９、図１０）
切れ目検出フラグ生成部５２は、図９に示す切れ目検出処理ルーチン６０によって、音声信号Ｒｉの切れ目を検出し、決定する。
【００４８】
すなわち、まず、ステップ６１において、音声信号Ｒｉの先頭（前の切れ目）から４秒分のデータを内部メモリに確保した上で、先頭（前の切れ目）から２〜４秒（２秒以上、４秒以下）の時間内に無音部分があるか否かを判断し、無音部分があるときには、ステップ６２に進んで、その最初に現れる無音位置を切れ目とし、切れ目フラグを生成する。
【００４９】
先頭（前の切れ目）から２〜４秒の時間内に無音部分がないときには、ステップ６１からステップ６３に進んで、先頭（前の切れ目）から２〜４秒の時間内のレベルが最小となる位置を切れ目とし、切れ目フラグを生成する。
【００５０】
無音部分は、パケット内のデータ値の絶対値の平均値が閾値以下となるパケットであり、レベルが最小となる位置は、パケット内のデータ値の絶対値の平均値が最小となるパケット位置である。
【００５１】
図１０に示すケースでは、時間軸上で０秒として示す音声信号Ｒｉの先頭の時点から４秒の期間Ｔａの後半の２秒の期間Ｔａｏ内に、音声信号Ｒｉが有音部分から無音部分に切り替わる時点ｔａが存在するので、第１段として、その時点ｔａが切れ目とされ、時点ｔａでフラグＦが生成される。
【００５２】
次に、時点ｔａから４秒の期間Ｔｂの後半の２秒の期間Ｔｂｏ内では、その期間Ｔｂｏの頭の時点ｔｂ後の若干の時間内に無音部分が存在するので、第２段として、その時点ｔｂが切れ目とされ、時点ｔｂでフラグＦが生成される。
【００５３】
次に、時点ｔｂから４秒の期間Ｔｃの後半の２秒の期間Ｔｃｏ内では、無音部分が存在しないので、第３段として、その期間Ｔｃｏ内で音声信号Ｒｉのレベルが最小となる時点ｔｃが切れ目とされ、時点ｔｃでフラグＦが生成される。時点ｔｃから４秒の期間Ｔｄの後半の２秒の期間Ｔｄｏについても、同様に切れ目が決定される。
【００５４】
したがって、この例では、逆方向再生についての処理単位区間は、区間Ｔ１，Ｔ２，Ｔ３‥‥として示すように、最短で２秒、最長で４秒である。
【００５５】
（３−２．第１の実施例における音声信号の逆方向再生）
第１の実施例では、音声信号の逆方向再生の場合、音声処理部９または図８では省略したシステムコントローラは、ヘッド２の出力から上記の切れ目フラグＦを検出して、その切れ目フラグＦの位置を逆方向再生についての処理単位区間の区切れ目とし、それに従って、信号処理部２１は、これに入力される元の再生音声信号Ｓｉのデータを、２〜４秒（３２〜６４パケット）分の処理単位区間ごとに、処理単位区間内で順方向に並び替えて、コードバッファ２４に出力する。
【００５６】
これによれば、それぞれ順方向再生される処理単位区間の区切れ目が音節や文節の切れ目となることが多いので、記録された音声内容がより理解しやすくなる。
【００５７】
（３−３．第１の実施例における音声信号の高速再生…図１１）
第１の実施例では、音声信号の高速再生の場合、再生倍率をＮとすると、図８では省略したシステムコントローラは、ヘッド２の出力から上記の切れ目フラグＦを検出し、高速再生についての再生単位区間の後側の区切れ目を、その検出した切れ目フラグＦの位置として、記録媒体１上の、それぞれ（Ｎ−１）×Ｍ秒分の飛び越し区間を隔てた、それぞれＭ秒分の再生単位区間から順次、音声信号を定常速度で再生し、信号処理部２１は、その再生音声信号Ｓｉのデータを、そのままコードバッファ２４に出力する。
【００５８】
すなわち、図１１に示すように、最初に、切れ目フラグＦｐの位置を後側の区切れ目とする、Ｍｐ秒分の再生単位区間Ｈ１から音声信号を定常速度で再生し、次に、再生単位区間Ｈ１の前側の区切れ目からＮ×Ｍｐ秒分を隔てた位置を前側の区切れ目とし、その後の切れ目フラグＦｑの位置を後側の区切れ目とする、Ｍｑ秒分の再生単位区間Ｈ２から音声信号を定常速度で再生し、次に、再生単位区間Ｈ２の前側の区切れ目からＮ×Ｍｑ秒分を隔てた位置を前側の区切れ目とし、その後の切れ目フラグＦｒの位置を後側の区切れ目とする、Ｍｒ秒分の再生単位区間Ｈ３から音声信号を定常速度で再生する、というように、再生単位区間Ｈ１，Ｈ２，Ｈ３‥‥から順次、音声信号を定常速度で再生する。
【００５９】
これによれば、それぞれ定常再生される再生単位区間の後側の区切れ目が音節や文節の切れ目となることが多いので、記録された音声内容がより理解しやすくなる。
【００６０】
（３−４．第１の実施例における映像信号の逆方向再生または高速再生）
第１の実施例でも、映像信号および音声信号が多重化されて記録媒体１上に記録されていて、音声信号を逆方向再生または高速再生する場合に、同時に映像信号も再生するときには、映像信号も逆方向再生または高速再生する。
【００６１】
この場合には、音声信号の逆方向再生についての２〜４秒分ごとの処理単位区間を、同時に映像信号の逆方向再生についての処理単位区間として、映像信号を逆方向再生し、音声信号の高速再生についての（Ｎ−１）×Ｍ秒分ごとの飛び越し区間およびＭ秒分ごとの再生単位区間を、同時に映像信号の高速再生についての飛び越し区間および再生単位区間として、映像信号を高速再生する。
【００６２】
［４．信号再生方法の第２の実施例…図１２］
この発明の信号再生方法の第２の実施例では、再生ヘッドに先行する先読み用ヘッドの出力から、記録媒体上に記録されている音声信号の無音位置または相対的にレベルが低い位置を、切れ目として検出して、その切れ目を、音声信号の逆方向再生についての処理単位区間および高速再生についての再生単位区間の区切れ目とし、逆方向再生についての処理単位区間および高速再生についての再生単位区間を固定長ではなく、所定時間内で変化させる。
【００６３】
図１２は、この例の装置構成を示し、図２に示した音声再生系に先読み用ヘッド１７を追加し、音声処理部９内に切れ目検出部２８を付加したものである。記録媒体１の記録トラックＴｒ上に矢印Ｄｆの方向に音声信号が記録されているとすると、記録媒体１が矢印Ｄｆの方向と逆の方向に回転することにより、先読み用ヘッド１７によって、再生ヘッド２に先行して、記録媒体１から音声信号が再生される。
【００６４】
切れ目検出部２８では、第１の実施例の図９に示した切れ目検出処理ルーチン６０と同様の切れ目検出処理ルーチンによって、この先読み用ヘッド１７の出力の音声信号の切れ目を検出し、決定する。
【００６５】
（４−１．第２の実施例における音声信号の逆方向再生）
そして、第２の実施例では、音声信号の逆方向再生の場合、信号処理部２１は、切れ目検出部２８によって切れ目とされた時点から、記録トラックＴｒ上の先読み用ヘッド１７と再生ヘッド２との間隔に相当する時間遅延した時点を、逆方向再生についての処理単位区間の区切れ目として、第１の実施例と同様に、信号処理部２１に入力される元の再生音声信号Ｓｉのデータを、２〜４秒（３２〜６４パケット）分の処理単位区間ごとに、処理単位区間内で順方向に並び替えて、コードバッファ２４に出力する。
【００６６】
これによれば、それぞれ順方向再生される処理単位区間の区切れ目が音節や文節の切れ目となることが多いので、記録された音声内容がより理解しやすくなるとともに、記録時に切れ目を検出して切れ目フラグを記録しておく必要がない。
【００６７】
（４−２．第２の実施例における音声信号の高速再生）
第２の実施例では、音声信号の高速再生の場合、図１２では省略したシステムコントローラは、切れ目検出部２８の検出結果から、記録媒体１上に記録されている音声信号の切れ目を決定し、高速再生についての再生単位区間の後側の区切れ目を、その決定した切れ目の位置として、第１の実施例と同様に、記録媒体１上の、それぞれ（Ｎ−１）×Ｍ秒分の飛び越し区間を隔てた、それぞれＭ秒分の再生単位区間から順次、音声信号を定常速度で再生し、信号処理部２１は、その再生音声信号Ｓｉのデータを、そのままコードバッファ２４に出力する。
【００６８】
これによれば、それぞれ定常再生される再生単位区間の後側の区切れ目が音節や文節の切れ目となることが多いので、記録された音声内容がより理解しやすくなるとともに、記録時に切れ目を検出して切れ目フラグを記録しておく必要がない。
【００６９】
（４−３．第２の実施例における映像信号の逆方向再生または高速再生）
第２の実施例でも、映像信号および音声信号が多重化されて記録媒体１上に記録されていて、音声信号を逆方向再生または高速再生する場合に、同時に映像信号も再生するときには、映像信号も逆方向再生または高速再生する。
【００７０】
この場合には、第１の実施例と同様に、音声信号の逆方向再生についての２〜４秒分ごとの処理単位区間を、同時に映像信号の逆方向再生についての処理単位区間として、映像信号を逆方向再生し、音声信号の高速再生についての（Ｎ−１）×Ｍ秒分ごとの飛び越し区間およびＭ秒分ごとの再生単位区間を、同時に映像信号の高速再生についての飛び越し区間および再生単位区間として、映像信号を高速再生する。
【００７１】
［５．他の実施例または実施形態］
図１の信号再生装置は、多重化された音声信号および映像信号が記録された記録媒体から音声信号および映像信号を再生する場合であるが、この発明は、圧縮された音声信号または映像信号のみが記録された記録媒体から音声信号または映像信号のみを再生する場合にも、同様に適用することができる。
【００７３】
映像信号のみを高速再生する場合にも、高速再生についての再生単位区間を固定長としないで、高速再生についての再生単位区間の後側の区切れ目を、記録媒体上に記録された区切り情報によって示された、または再生ヘッドに先行する先読み用ヘッドの出力から検出した、映像シーンの変化位置などの、記録媒体上に記録されている映像信号の切れ目の位置とする。
【００７４】
また、映像シーンの変化位置では音声が途切れることが多いので、映像信号を高速再生するのと同時に音声信号を高速再生する場合にも、同様に、高速再生についての再生単位区間の後側の区切れ目を、映像シーンの変化位置とすることができる。
【００７５】
また、図示した実施形態は、記録媒体がディスク状の場合であるが、この発明は、記録媒体（記憶媒体）が磁気テープや半導体メモリなどである場合にも、同様に適用することができる。半導体メモリの場合には、再生ヘッドではなく、読み出し回路によってメモリから、これに書き込まれたデータを読み出す。この場合には、「記録」とは書き込みであり、「再生」とは読み出しである。切れ目検出のための先読みも、メモリ上の先行するアドレスからデータを読み出す。
【００７６】
【発明の効果】
上述したように、この発明の高速再生によれば、記録された映像内容が理解しやすくなり、記録された音声内容を理解することができるだけでなく、記録された映像内容または音声内容がより理解しやすくなる。
【００７７】
また、この発明の音声信号に係る逆方向再生によれば、記録された音声内容を理解することができるだけでなく、記録された音声内容がより理解しやすくなる。
【図面の簡単な説明】
【図１】  この発明の信号再生装置の一実施形態を示す図である。
【図２】  参考例の場合の音声処理部を示す図である。
【図３】  参考例の場合の逆方向再生の処理ルーチンの一例を示す図である。
【図４】  参考例の場合の逆方向再生のデータ並べ替えの一例を示す図である。
【図５】  参考例の場合の高速再生の処理ルーチンの一例を示す図である。
【図６】  参考例の場合の高速再生の飛び越し区間および再生単位区間の一例を示す図である。
【図７】  参考例の場合の高速再生でコードバッファに出力される再生音声信号の一例を示す図である。
【図８】  第１の実施例の場合の音声記録系および音声再生系を示す図である。
【図９】  第１の実施例の場合の切れ目検出の処理ルーチンの一例を示す図である。
【図１０】  第１の実施例の場合の切れ目検出の一場合を示す図である。
【図１１】  第１の実施例の場合の高速再生の飛び越し区間および再生単位区間の一例を示す図である。
【図１２】  第２の実施例の場合の音声再生系を示す図である。
【図１３】  音声信号の逆方向再生および高速再生につき従来の方法とこの発明の方法とを概念的に比較して示す図である。
【符号の説明】
１…記録媒体、２…再生ヘッド、６…システムコントローラ、７…デマルチプレクサ、８…映像処理部、９…音声処理部、１７…先読み用ヘッド、２１…信号処理部、２２…内部メモリ、２３…復号化部、２４…コードバッファ、２５…復号器、２８…切れ目検出部、３０…逆方向再生処理ルーチン、４０…高速再生処理ルーチン、５０…記録処理部、５２…切れ目検出フラグ生成部、６０…切れ目検出処理ルーチン
【図１】
0004164613.tif 000002
【図２】
0004164613.tif 000003
【図３】
0004164613.tif 000004
【図４】
0004164613.tif 000005
【図５】
0004164613.tif 000006
【図６】
0004164613.tif 000007
【図７】
0004164613.tif 000008
【図８】
0004164613.tif 000009
【図９】
0004164613.tif 000010
【図１０】
0004164613.tif 000011
【図１１】
0004164613.tif 000012
【図１２】
0004164613.tif 000013
【図１３】
0004164613.tif 000014